(57)【特許請求の範囲】
【請求項１】
行方向および列方向に２次元状に配列された複数の画素と、前記列方向に前記画素の信号を読み出すための列出力線と、前記複数の画素のうち任意の数の行を前記列出力線に電気的に接続する接続手段とを有する撮像素子と、
前記複数の画素から、第１の行間隔で、該第１の行間隔の中の行の信号をまとめた信号を読み出す第１のモードと、該第１のモードとは異なる第２の行間隔で、該第２の行間隔の中の行の信号をまとめた信号を読み出す第２のモードとを有し、前記接続手段に、前記第１のモードと第２のモードにおいて、前記列出力線に対して同時に同じ数の行を接続させるように制御する制御手段と、
を備えることを特徴とする撮像装置。
【請求項２】
前記撮像素子は、前記列出力線ごとに定電流源を有し、前記制御手段は、前記定電流源が供給する電流量を前記第１のモードと第２のモードとで同じになるように制御することを特徴とする請求項１に記載の撮像装置。
【請求項３】
前記第１の行間隔よりも前記第２の行間隔の方が大きい場合に、前記制御手段は、前記第２のモードで前記列出力線に対して接続される行の数を前記第１のモードで前記列出力線に対して接続される行の数に合わせることを特徴とする請求項１または２に記載の撮像装置。
【請求項４】
前記列出力線に対して同時に接続される行の信号は混合されることを特徴とする請求項１乃至３のいずれか１項に記載の撮像装置。
【請求項５】
前記列出力線に対して接続される行の数が、前記第１または第２の行間隔の中の行の数よりも少ない場合には、前記第１または第２の行間隔の中の行のうち前記列出力線に対して接続されない行の信号は間引かれることを特徴とする請求項１乃至４のいずれか１項に記載の撮像装置。
【請求項６】
行方向および列方向に２次元状に配列された複数の画素と、前記列方向に前記画素の信号を読み出すための列出力線と、前記複数の画素のうち任意の数の行を前記列出力線に電気的に接続する接続手段とを有する撮像素子を備える撮像装置を制御する方法であって、
前記複数の画素から、第１の行間隔で、該第１の行間隔の中の行の信号をまとめた信号を読み出す第１のモードと、該第１のモードとは異なる第２の行間隔で、該第２の行間隔の中の行の信号をまとめた信号を読み出す第２のモードとを有し、前記接続手段に、前記第１のモードと第２のモードにおいて、前記列出力線に対して同時に同じ数の行を接続させるように制御する制御工程を有することを特徴とする撮像装置の制御方法。
【請求項７】
前記撮像素子は、前記列出力線ごとに定電流源を有し、前記制御工程では、前記定電流源が供給する電流量を前記第１のモードと第２のモードとで同じになるように制御することを特徴とする請求項６に記載の撮像装置の制御方法。
【請求項８】
前記第１の行間隔よりも前記第２の行間隔の方が大きい場合に、前記制御工程では、前記第２のモードで前記列出力線に対して接続される行の数を前記第１のモードで前記列出力線に対して接続される行の数に合わせることを特徴とする請求項６または７に記載の撮像装置の制御方法。
【請求項９】
前記列出力線に対して同時に接続される行の信号を混合することを特徴とする請求項６乃至８のいずれか１項に記載の撮像装置の制御方法。
【請求項１０】
前記列出力線に対して接続される行の数が、前記第１または第２の行間隔の中の行の数よりも少ない場合には、前記第１または第２の行間隔の中の行のうち前記列出力線に対して接続されない行の信号を間引くことを特徴とする請求項６乃至９のいずれか１項に記載の撮像装置の制御方法。
【請求項１１】
請求項６乃至１０のいずれか１項に記載の制御方法の各工程をコンピュータに実行させるためのプログラム。
【請求項１２】
請求項６乃至１０のいずれか１項に記載の制御方法の各工程をコンピュータに実行させるためのプログラムを記憶したコンピュータが読み取り可能な記憶媒体。
【発明の詳細な説明】
【技術分野】
【０００１】
本発明は、撮像装置及びその制御方法に関するものである。
【背景技術】
【０００２】
デジタルカメラ等の撮像装置に搭載する撮像素子としては、低電圧、低消費電力等の点からＣＭＯＳイメージセンサが用いられる頻度が増してきている。
【０００３】
ところで、近年のＣＭＯＳイメージセンサは、より高画素化が進む一方で、例えばフルＨＤ動画のように１９２０ｘ１０８０の画素数を３０ｆｐｓまたは６０ｆｐｓで出力するといった高フレームレートでの撮影のニーズも高まっている。このようなニーズに対し、高画素数を有するＣＭＯＳイメージセンサで高フレームレート撮影を達成させるために出力する画像信号を低画素数化する手法として、間引き手法が知られている。間引き手法では、所定の周期で画素を読み飛ばすことで低画素化し、データレートを下げることで高フレームレート化している。
【０００４】
この手法では所定の周期で画素を読み飛ばすので、撮像される画質の特徴として、被写体のエッジ検出に有利である反面、折り返しノイズの一種であるモアレが目立ちやすいという問題がある。そこで、モアレを低減する手法として、間引き手法では読み飛ばしていた画素の信号を、隣接する読み出し画素の信号と混合し、低画素化して出力する手法がいくつか提案されている。例えば特許文献１で紹介されている画素混合手法は、行選択回路によって複数行を同時に選択し、出力させることで複数行の画素信号の混合出力を行っている。
【先行技術文献】
【特許文献】
【０００５】
【特許文献１】特許第４７２３９９４号公報
【発明の概要】
【発明が解決しようとする課題】
【０００６】
しかしながら、前述のような複数行を同時に選択する混合出力を行う読み出し駆動を、撮像装置が有する様々なフレームレートの駆動モードに応じて行った場合、以下のような問題が発生する。
【０００７】
上記した垂直方向の画素混合方式では、当該画素行の中にそれぞれ構成されるソースフォロワ回路に均等な電流が流れるときに、最も平均化効果が高くなる。しかしながら、混合対象画素の中に明るい（信号電荷が多く、すなわち信号電位の低い）画素と暗い（信号電荷が少く、信号電位の高い）画素とが含まれていた場合、専ら暗い画素を構成するソースフォロワ回路の方に、垂直出力線を介して優先的に電流が供給されてしまう。このことにより、明るい画素を構成するソースフォロワ回路にはほとんど電流が供給されなくなり、暗い画素との平均化に寄与することができなくなってしまう。したがって仮に混合対象のうち明るい画素の信号レベルがさらに増加した場合であっても電流の主な経路である暗い画素の出力に引っ張られ、垂直出力線上の信号電位Ｖｏｕｔは理想的な平均値まで伸びて行かず、いわゆる高輝度での非線形性が生じる。
【０００８】
これにより、ホワイトバランスなどの信号処理を施した画像は、固体撮像素子の分光特性や光源の種類によって、信号レベルが通常低いことにより比較的線形性を維持したＲ，Ｂ信号と、非線形で十分な信号の得られていないＧ信号とを現像することとなる。その結果、特に空間周波数が高く高輝度な被写体においてマゼンタ色の色付きが生じてしまう。
【０００９】
上記のように画素混合後の出力が非線形になってしまう現象は、画素に供給する電流を増加させることで出力が線形に保たれる領域を広げることにより改善可能である。しかしながら、高フレームレートを達成するためにまとめて読み出す行数を増やす際に、１画素に供給する電流量を適切な電流量に維持したままにしようとすると、画素混合する行数が多くなるほど、消費電力を増大させてしまうという問題が発生する。逆に、垂直出力線に供給する電流量を駆動モードによらず一定にしようとすると、画素混合する行数が多い駆動モードほど、１画素に供給可能な電流量が小さくなるため、信号出力が線形性を維持できる領域が狭まり、上記のマゼンタ色の色づきを増長させてしまう。
【００１０】
本発明は上述した課題に鑑みてなされたものであり、その目的は、複数種類のフレームレートに応じて垂直方向（列方向）の画素混合を行う場合に、フレームレートによらず良好な画質の画像を取得できる撮像装置を提供することである。
【課題を解決するための手段】
【００１１】
本発明に係わる撮像装置は、行方向および列方向に２次元状に配列された複数の画素と、前記列方向に前記画素の信号を読み出すための列出力線と、前記複数の画素のうち任意の数の行を前記列出力線に電気的に接続する接続手段とを有する撮像素子と、前記複数の画素から、第１の行間隔で、該第１の行間隔の中の行の信号をまとめた信号を読み出す第１のモードと、該第１のモードとは異なる第２の行間隔で、該第２の行間隔の中の行の信号をまとめた信号を読み出す第２のモードとを有し、前記接続手段に、前記第１のモードと第２のモードにおいて、前記列出力線に対して同時に同じ数の行を接続させるように制御する制御手段と、を備えることを特徴とする。
【発明の効果】
【００１２】
本発明によれば、複数種類の駆動モードに応じて列方向の画素混合を行う場合に、駆動モードによらず良好な画質の画像を取得できる撮像装置を提供することが可能となる。
【図面の簡単な説明】
【００１３】
【図１】本発明の一実施形態の撮像装置の構成を示すブロック図。
【図２】本発明の一実施形態の撮像素子の概略回路図。
【図３】撮像素子の画素部の詳細回路図。
【図４】垂直混合する画素の組み合わせを示す図。
【図５】静止画撮影時の駆動方法を示すタイミングチャート。
【図６】第１の動画撮影時の駆動方法を示すタイミングチャート。
【図７】第２の動画駆動時の駆動方法を示すタイミングチャート。
【発明を実施するための形態】
【００１４】
以下、本発明の一実施形態について、添付図面を参照して詳細に説明する。本実施形態の撮像装置は、複数の動画駆動モード間で、垂直出力線（列出力線）の定電流源が供給する電流量及び垂直画素混合を行う行数を揃えるものである。
【００１５】
図１は、本発明の一実施形態に係わる撮像装置の構成を示すブロック図である。図１において、光学系１０１はレンズ及び絞りなどからなり、被写体像を結像させる。メカニカルシャッタ（メカシャッタと図示する）１０２は、撮像素子への光路を開閉する。撮像素子１０３は入射光を電気信号に変換する。
【００１６】
また、アナログ信号処理回路１０４は、撮像素子１０３から出力される画像信号に対してアナログ信号処理を行う。タイミング信号発生回路１０５は撮像素子１０３およびアナログ信号処理回路１０４を動作させる信号を発生する。駆動回路１０６は光学系１０１、メカニカルシャッタ１０２を駆動する。デジタル信号処理回路１０７は撮影した画像データに必要なデジタル信号処理を行う。
【００１７】
また、画像メモリ１０８は信号処理された画像データを記憶する。画像記録媒体（記録媒体と図示する）１０９は撮像装置から取り外し可能な記録媒体である。記録回路１１０は信号処理された画像データを画像記録媒体１０９に記録する。画像表示装置１１１は信号処理された画像データを表示する。表示回路１１２は画像表示装置１１１に画像を表示する。
【００１８】
また、システム制御部１１３は撮像装置全体を制御する。不揮発性メモリ（ＲＯＭ）１１４はシステム制御部１１３で実行される制御方法を記載したプログラム、プログラムを実行する際に使用されるパラメータやテーブル等の制御データ、および、キズアドレス等の補正データを記憶しておく。揮発性メモリ（ＲＡＭ）１１５は不揮発性メモリ１１４に記憶されたプログラム、制御データおよび補正データを転送して記憶しておき、システム制御部１１３が撮像装置を制御する際に使用する。また、撮影モード設定部１１６はＩＳＯ感度設定などの撮影条件設定や、静止画撮影と動画像撮影の切り替えなどを行う。
【００１９】
以下、上述のように構成された撮像装置における撮影動作について説明する。撮影動作に先立ち、撮像装置の電源投入時等のシステム制御部１１３の動作開始時において、不揮発性メモリ１１４から必要なプログラム、制御データおよび補正データを揮発性メモリ１１５に転送して記憶しておくものとする。また、これらのプログラムやデータは、システム制御部１１３が撮像装置を制御する際に使用する。また、必要に応じて、追加のプログラムやデータを不揮発性メモリ１１４から揮発性メモリ１１５に転送したり、システム制御部１１３が直接不揮発性メモリ１１４内のデータを読み出して使用したりするものとする。
【００２０】
まず、光学系１０１は、システム制御部１１３からの制御信号により駆動され、適切な明るさに設定された被写体像を撮像素子１０３上に結像させる。次に、メカニカルシャッタ１０２は、静止画像撮影時においては、システム制御部１１３からの制御信号により、必要な露光時間となるように撮像素子１０３の動作に合わせて撮像素子１０３を遮光するように駆動される。この時、撮像素子１０３が電子シャッタ機能を有する場合は、メカニカルシャッタ１０２と併用して、必要な露光時間を確保してもよい。またメカニカルシャッタ１０２は、動画像撮影時及びライブビュー駆動時においては、システム制御部１１３からの制御信号により、常に撮像素子１０３が露光されるように、開放状態で維持される。
【００２１】
撮像素子１０３は、システム制御部１１３により制御されるタイミング信号発生回路１０５が発生する動作パルスをもとにした駆動パルスで駆動され、被写体像を光電変換により電気信号に変換する。変換された電気信号は、入射光量に応じて設定された増幅率のゲインが掛けられ、アナログ画像信号として出力される。
【００２２】
撮像素子１０３から出力されたアナログの画像信号は、システム制御部１１３により制御されるタイミング信号発生回路１０５が発生する動作パルスにより、アナログ信号処理回路１０４の内部において処理される。この処理では、入射光量に応じて設定された増幅率のゲインがアナログ信号に掛けられ、オプティカルブラック（ＯＢ）領域の信号出力を基準電圧としてクランプされ、デジタル画像信号に変換される。
【００２３】
次に、アナログ信号処理回路１０４から出力されたデジタル画像信号は、システム制御部１１３により制御されるデジタル信号処理回路１０７の内部において処理される。この処理では、デジタル画像信号に対して、色変換、ホワイトバランス、ガンマ補正等の画像処理、解像度変換処理、画像圧縮処理等が施される。
【００２４】
画像メモリ１０８は、信号処理中のデジタル画像信号を一時的に記憶したり、信号処理されたデジタル画像信号である画像データを記憶したりするために用いられる。デジタル信号処理回路１０７で信号処理された画像データや画像メモリ１０８に記憶されている画像データは、記録回路１１０において画像記録媒体１０９に適したデータ（例えば階層構造を持つファイルシステムデータ）に変換される。そして、画像記録媒体１０９に記録されたり、デジタル信号処理回路１０７で解像度変換処理を施された後、表示回路１１２において画像表示装置１１１に適した信号（例えばＮＴＳＣ方式のアナログ信号等）に変換されて画像表示装置１１１に表示されたりする。
【００２５】
ここで、デジタル信号処理回路１０７においては、システム制御部１１３からの制御信号により信号処理をせずにデジタル画像信号をそのまま画像データとして、画像メモリ１０８や記録回路１１０に出力してもよい。また、デジタル信号処理回路１０７は、システム制御部１１３から要求があった場合に、信号処理の過程で生じたデジタル画像信号や画像データの情報をシステム制御部１１３に出力する。例えば、画像の空間周波数、指定領域の平均値、圧縮画像のデータ量等の情報、あるいは、それらから抽出された情報などである。さらに、記録回路１１０は、システム制御部１１３から要求があった場合に、画像記録媒体１０９の種類や空き容量等の情報をシステム制御部１１３に出力する。
【００２６】
次に、画像記録媒体１０９に画像データが記録されている場合の再生動作について説明する。システム制御部１１３からの制御信号により記録回路１１０は、画像記録媒体１０９から画像データを読み出す。また、同じくシステム制御部１１３からの制御信号によりデジタル信号処理回路１０７は、画像データが圧縮画像であった場合には、画像伸長処理を行い、画像メモリ１０８に記憶する。画像メモリ１０８に記憶されている画像データは、デジタル信号処理回路１０７で解像度変換処理を実施された後、表示回路１１２において画像表示装置１１１に適した信号に変換されて画像表示装置１１１に表示される。
【００２７】
次に、撮像素子１０３の読み出し回路について図２を用いて説明する。撮像素子１０３は、複数の単位画素２００が水平方向（行方向）および垂直方向（列方向）に２次元状（行列状）に配置されている。なお、図２においては単位画素２００を４行４列の計１６個図示するが、実際は数百万、数千万の単位画素２００で構成される。また、単位画素２００はベイヤー配列に従って並べられ、それぞれ一般に赤（Ｒ）、緑（Ｇ）、青（Ｂ）のカラーフィルタが設けられる。ここでは、投射光として一般的に用いられることの多い赤外光や、より反射光の受光効率を上げることを目的として、赤外フィルタや透明フィルタを形成した画素を配置してもよい。垂直シフトレジスタ２０１は、各行ごとに接続される信号線を介してリセットパルス信号ＰＲＥＳｎ、転送パルス信号ＰＴＸｎ、セレクトパルス信号ＰＳＥＬｎを供給することで、各行の画素を選択・駆動する。単位画素２００のフローティングディフュージョン部３０３（図３参照）で変換された信号は垂直出力線（列出力線）２０２Ａ，２０２Ｂ等を通り列回路２０３に入力される。電流源負荷２１９はソースフォロアアンプ３０５（図３参照）のトランジスタの負荷となる。列回路２０３で処理された信号は水平シフトレジスタ２０４により水平出力線（行出力線）２０５，２０６を通り出力アンプ２０７に転送される。
【００２８】
続いて列回路２０３の回路構成を説明する。列回路２０３は、クランプ容量Ｃ０２０８、フィードバック容量Ｃｆ２０９、オペアンプ２１０、基準電圧Ｖｒｅｆを供給する基準電源２１１、フィードバック容量Ｃｆ（２０９）の両端をショートさせるためのスイッチ２１２を備える。スイッチ２１２は、ＰＣ０Ｒ信号により制御される。また、電圧信号を保持するための容量ＣＴＳ（２１３），容量ＣＴＮ（２１４）、容量への書き込みを制御するためのスイッチ２１５，２１６を備える。スイッチ２１５は信号ＰＴＳにより制御され、スイッチ２１６は信号ＰＴＮにより制御される。スイッチ２１７，２１８は、電圧信号を保持するための容量ＣＴＳ（２１３），容量ＣＴＮ（２１４）に保持された電圧信号をそれぞれ水平出力線２０５，２０６を介して、出力アンプ２０７に出力する。スイッチ２１７は水平シフトレジスタ２０４の水平シフトレジスタ２０４からの信号ＰＨＳにより制御され、スイッチ２１８は水平シフトレジスタ２０４からの信号ＰＨＮにより制御される。
【００２９】
次に、図３は、本実施形態における撮像素子１０３の単位画素２００を示す回路図である。
【００３０】
単位画素２００は、１つのフォトダイオード３０１を有する。このフォトダイオード３０１には１つの転送スイッチ３０２が接続される。また、転送スイッチ３０２にはフローティングディフュージョン部３０３が接続される構成となっている。フローティングディフュージョン部３０３にはリセットスイッチ３０４とソースフォロアアンプ３０５が接続され、ソースフォロアアンプ３０５にはセレクトスイッチ３０６が接続されている。ここでリセットスイッチ３０４およびソースフォロアアンプ３０５のドレインが基準電位ＶＤＤ３０７を共有している。
【００３１】
フォトダイオード３０１は、単位画素毎に設けられた不図示のマイクロレンズを通過した光を受光し、その受光量に応じた信号電荷を生成する光電変換部として機能する。転送スイッチ３０２は、フォトダイオード３０１で発生した電荷をフローティングディフュージョン部３０３に転送する。転送スイッチ３０２は、転送パルス信号ＰＴＸｎによって制御される。フローティングディフュージョン部３０３は、フォトダイオード３０１から転送された電荷を一時的に保持するとともに、保持した電荷を電圧信号に変換する電荷電圧変換部として機能する。
【００３２】
リセットスイッチ３０４は、フローティングディフュージョン部３０３の電位を基準電位ＶＤＤ３０７にリセットする。リセットスイッチ３０４は、リセットパルス信号ＰＲＥＳｎによって制御される。ソースフォロアアンプ３０５は、ＭＯＳトランジスタと基準電位ＶＤＤ３０７からなるソースフォロア回路であり、フローティングディフュージョン部３０３に保持した電荷に基づく電圧信号を増幅して、画素信号として出力する。セレクトスイッチ３０６は、ソースフォロアアンプ３０５で増幅された画素信号を垂直出力線２０２に出力する。垂直出力線２０２は列を共有する複数の単位画素２００で共有される。セレクトスイッチ３０６は、セレクトパルス信号ＰＳＥＬｎによって制御される。
【００３３】
次に、動画駆動モードにおいて、垂直方向に画素混合を行う際の混合画素の組み合わせの１例について、図４を用いて説明する。本実施形態の撮像装置は、動画駆動モードを２種類有する。具体的には、低速で読み出す第１の動画駆動モードでは、垂直方向（列方向）の３つの画素の信号を同時に読み出す構成であり、高速で読み出す第２の動画駆動モードでは、垂直方向（列方向）の５画素中３つの画素の信号を同時に読み出す構成である。
【００３４】
図４は、本実施形態における垂直画素混合の組み合わせの１例を示す説明図である。図４に示す画素２００中の文字「Ｒ」、「Ｇ」は、それぞれ画素上のカラーフィルタの種類を示しており、「Ｒ」は赤のフィルタ、「Ｇ」は緑のフィルタを備える画素であることを示す。また、任意の数の画素２００を垂直出力線に電気的に接続可能であり、画素２００同士を結ぶ線は、それぞれ垂直画素混合をする際の画素の組み合わせを示すものである。静止画駆動の際は、すべての行の画素は垂直画素混合せずに読み出すため、画素２００同士の線は結ばれずに示している。
【００３５】
第１の動画駆動モードでは、本実施形態においては、垂直方向の３画素の信号を混合して読み出す構成であるとし、異なる３つの画素２００同士を結んで示している。具体的には、「Ｒ」の画素については、ｎ行目の画素２００とｎ−２行目及びｎ＋２行目の画素２００を結んで示している。すなわち、ｎ−２行目、ｎ行目、ｎ＋２行目の画素２００の信号が混合されて同時に読み出される。同様に「Ｇ」の画素については、ｎ＋１行目、ｎ＋３行目、ｎ＋５行目の画素２００の信号が混合されて同時に読み出される。
【００３６】
第２の動画駆動モードでは、本実施形態においては、垂直方向の５画素中３画素の信号を混合して読み出す構成であるとし、異なる３つの画素２００同士を結んで示している。具体的には、「Ｒ」の画素については、ｎ行目の画素２００とｎ−２行目及びｎ＋２行目の画素２００を結んで示している。すなわち、ｎ−２行目、ｎ行目、ｎ＋２行目の画素２００の信号が混合されて同時に読み出される。同様に「Ｇ」の画素については、ｎ＋３行目、ｎ＋５行目、ｎ＋７行目の画素２００の信号が混合されて同時に読み出される。また、ｎ−４行目やｎ−１行目の画素２００など、図中に斜線で記す画素２００からは信号が読み出されない。
【００３７】
この第２の動画駆動モードでは、第１の動画駆動モードよりも早いフレームレートで信号を読み出すために、第１の動画駆動が３行間隔で同じ色の画素信号を読み出すのに対し、５行間隔で同じ色の画素信号を読み出している。但し、５行間隔で読み出す際に選択可能な５行の画素全てを同時に選択し、各行の画素の信号を混合して読み出してしまうと、第１の動画駆動モードに対して１画素あたりに供給できる電流量が小さくなってしまう。そして、信号出力が線形性を維持できる領域が狭まり、マゼンタ色の色づきを増長させてしまう。そこで、５行間隔で読み出す第２の動画駆動モードにおいても、第１の動画駆動モードと同じ３行の画素を同時に選択し、１画素あたりに供給できる電流量を揃えることで、上記マゼンタ色の色づきを抑えることを可能としている。
【００３８】
次に、静止画駆動モード、動画駆動モードのそれぞれにおける、読み出しタイミング及びその制御について、図５、図６、図７を用いて説明する。図５は、本実施形態における静止画駆動モードにおける画素信号読み出し方法を示すタイミングチャートである。この駆動タイミングでは、フォトダイオード３０１で発生した電荷を垂直混合せずに、１行毎に読み出す形態である。
【００３９】
まず、時刻Ｔ＝ｔ０〜ｔ１４の期間において、ある行ｎの画素に対する信号読み出し駆動を行う。時刻Ｔ＝ｔ０で、１水平走査期間の開始を示す信号ＨＤが立ち下がることに伴い、ある行ｎの画素に対する信号読み出し駆動が開始される。時刻Ｔ＝ｔ０では、リセットパルス信号ＰＲＥＳがＨｉの状態であるためにリセットスイッチ３０４がオンされており、フローティングディフュージョン部３０３がリセットされている。時刻Ｔ＝ｔ１で転送パルス信号ＰＴＸｎをＨｉとすることで転送スイッチ３０２がオンし、ｎ行目の画素のフォトダイオード３０１をリセットする。時刻Ｔ＝ｔ２で転送パルス信号ＰＴＸｎをＬｏとすることで転送スイッチ３０２がオフし、ｎ行目の画素のフォトダイオード３０１における電荷蓄積を開始する。
【００４０】
蓄積開始後、時刻Ｔ＝ｔ３でセレクトパルス信号ＰＳＥＬｎをＨｉとすることでセレクトスイッチ３０６がオンし、ｎ行目の画素のソースフォロアアンプ３０５を動作状態とする。時刻Ｔ＝ｔ４でリセットパルス信号ＰＲＥＳｎをＬｏとすることでリセットスイッチ３０４をオフし、ｎ行目の画素のフローティングディフュージョン部３０３のリセットを解除する。このときのフローティングディフュージョン部３０３の電位を垂直出力線２０２にリセット信号レベル（ノイズ成分）として読み出し、列回路２０３に入力する。
【００４１】
列回路２０３において、時刻Ｔ＝ｔ５で信号ＰＣ０ＲをＬｏとしてスイッチ２１２をオフし、オペアンプ２１０の基準電圧Ｖｒｅｆの出力バッファを解除し、時刻Ｔ＝ｔ６，ｔ７で信号ＰＴＮをＨｉ，Ｌｏとしてスイッチ２１６を動作させることで、容量ＣＴＮ２１４にリセット信号レベルを書き込む。
【００４２】
次に、時刻Ｔ＝ｔ８で転送パルス信号ＰＴＸｎをＨｉとして転送スイッチ３０２をオンし、ｎ行目の画素のフォトダイオード３０１に蓄積された光電荷のフローティングディフュージョン部３０３への転送を開始する。その後、時刻Ｔ＝ｔ９で転送パルス信号ＰＴＸｎをＬｏとして転送スイッチ３０２をオフし、電荷転送を終了する。このような一連のプロセスで転送された電荷量に応じたフローティングディフュージョン部３０３の電位変動が垂直出力線２０２に光信号レベル（光成分＋ノイズ成分）として読み出され、列回路２０３に入力される。
【００４３】
列回路２０３において、時刻Ｔ＝ｔ１０，ｔ１１で信号ＰＴＳをＨｉ，Ｌｏとしてスイッチ２１５を動作させることで容量ＣＴＳ２１３に光信号レベルを書き込む。なお、容量ＣＴＳ２１３，ＣＴＮ２１４に信号を書き込む際に、クランプ容量Ｃ０２０８とフィードバック容量Ｃｆ２０９の比に応じた反転ゲインがかかり出力される。その後、時刻Ｔ＝ｔ１２でリセットパルス信号ＰＲＥＳをＨｉとしてリセットスイッチ３０４をオンし、フローティングディフュージョン部３０３をリセット状態にする。
【００４４】
次に、容量ＣＴＳ２１３，容量ＣＴＮ２１４に保持された信号を水平シフトレジスタ２０４により読み出す。時刻Ｔ＝ｔ１３〜ｔ１４の間に、列回路２０３ごとに順次、信号ＰＨＳ，ＰＨＮをＨｉ，Ｌｏとしてスイッチ２１７，２１８を動作させることで容量ＣＴＳ２１３，容量ＣＴＮ２１４に保持された信号は水平出力線２０５，２０６を通る。そして、出力アンプ２０７で差動信号レベル（光成分）として出力される。
【００４５】
続けて、時刻Ｔ＝ｔ１４〜ｔ２８の期間において、次の行ｎ＋１の画素に対する信号読み出しを行う。但し、行ｎ＋１の画素に対する信号読み出しタイミングは、先に時刻Ｔ＝ｔ０〜ｔ１４の期間に対して説明したタイミングに対し、行ｎの画素に対して制御を行うためのセレクトパルス信号ＰＳＥＬｎ，リセットパルス信号ＰＲＥＳｎ，転送パルス信号ＰＴＸｎのそれぞれで行った制御を、行ｎ＋１の画素に対して行うためのセレクトパルス信号ＰＳＥＬｎ＋１，リセットパルス信号ＰＲＥＳｎ＋１，転送パルス信号ＰＴＸｎ＋１によって行ｎ＋１の画素に対して行うだけであるため、詳細な説明は省略する。時刻Ｔ＝ｔ２８以降も、更に次の行ｎ＋２，ｎ＋３，…と順に読み出していく。
【００４６】
以上のようにして、画素からの信号読み出し駆動を、各行毎に順に行うことにより、静止画駆動モードの読み出し駆動を実現している。
【００４７】
図６は、本実施形態における第１の動画駆動モードにおける画素信号読み出し方法を示すタイミングチャートである。この駆動タイミングでは、フォトダイオード３０１で発生した電荷を垂直方向３画素毎に同時に読み出すことで、垂直混合して読み出す形態である。
【００４８】
まず、時刻Ｔ＝ｔ０〜ｔ１４の期間において、図４で説明した３つの行ｎ−２，ｎ，ｎ＋２の画素に対する信号読み出し駆動を行う。この期間の読み出しは、３つの行ｎ−２，ｎ，ｎ＋２の画素に対する信号読み出し駆動が、図５を用いて説明した静止画駆動時の行ｎの画素に対する読み出し駆動に相当し、その他のタイミングに関しては同じであるため、詳細な説明は省略する。
【００４９】
続けて、時刻Ｔ＝ｔ１６〜ｔ２８の期間において、図４で説明した３つの行ｎ＋１，ｎ＋３，ｎ＋５の画素に対する信号読み出し駆動を行う。この期間の読み出しも、３つの行ｎ＋１，ｎ＋３，ｎ＋５の画素に対する信号読み出し駆動が、図５を用いて説明した静止画駆動時の行ｎ＋１の画素に対する読み出し駆動に相当し、その他のタイミングに関しては同じであるため、詳細な説明は省略する。時刻Ｔ＝ｔ２８以降も、更に次の行ｎ＋４，ｎ＋６，ｎ＋８の画素混合信号から順に読み出していく。
【００５０】
以上のようにして、画素からの信号読み出し駆動を、３行毎に順に行うことにより、第１の動画駆動モードの読み出し駆動を実現している。
【００５１】
図７は、本実施形態における第２の動画駆動モードにおける画素信号読み出し方法を示すタイミングチャートである。この駆動タイミングでは、フォトダイオード３０１で発生した電荷を、垂直方向５画素中３画素毎に同時に読み出すことで、垂直混合して読み出す形態である。
【００５２】
まず、時刻Ｔ＝ｔ０〜ｔ１４の期間において、図４で説明した３つの行ｎ−２，ｎ，ｎ＋２の画素に対する信号読み出し駆動を行う。この期間の読み出しは、３つの行ｎ−２，ｎ，ｎ＋２の画素に対する信号読み出し駆動が、図５を用いて説明した静止画駆動モードの行ｎの画素に対する読み出し駆動に相当し、その他のタイミングに関しては同じであるため、詳細な説明は省略する。
【００５３】
続けて、時刻Ｔ＝ｔ１６〜ｔ２８の期間において、図４で説明した３つの行ｎ＋３，ｎ＋５，ｎ＋７の画素に対する信号読み出し駆動を行う。この期間の読み出しも、３つの行ｎ＋３，ｎ＋５，ｎ＋７の画素に対する信号読み出し駆動が、図５を用いて説明した静止画駆動時の行ｎ＋１の画素に対する読み出し駆動に相当し、その他のタイミングに関しては同じであるため、詳細な説明は省略する。
【００５４】
なお、図４で説明したｎ−４行目やｎ−１行目の画素などの信号が読み出されずに間引かれる行画素への制御については図７では示していないが、例えば、対応するセレクトパルス信号ＰＳＥＬｎ−４，ＰＳＥＬｎ−１を常時Ｌｏとすることでセレクトスイッチ３０６をオフのままとし、間引かれる行の画素が垂直出力線に接続されないようにする。
【００５５】
以上のようにして、画素からの信号読み出しを、５行中３行毎に行うことにより、第２の動画駆動時の読み出し駆動を実現している。
【００５６】
以上、図１〜図７を用いて説明したように、本実施形態に係る撮像装置においては、低速で読みだす第１の動画駆動モード、高速で読み出す第２の動画駆動モードのそれぞれの駆動モードで、垂直出力線に供給する電流を同じ電流量とした上で、垂直画素混合を行う画素数を、第１の動画駆動モード時と第２の動画駆動モード時で同じ画素数とすることができる。
【００５７】
複数の動画駆動モードの各モードにおいて垂直画素混合を行う画素数を同数とすることで、１画素に供給される電流値が揃い、各種画像特性が揃う。さらに、画素混合出力信号が線形性を保つ領域も同程度となり、画像に影響のない範囲の信号量と使用可能範囲の信号量を制御することで、各モード共通で適切な画質を得ることを実現できる。
【００５８】
以上、本発明の好ましい実施の形態を説明したが、本発明はこれらの実施形態に限定されるものではなく、その要旨の範囲内で種々の変形及び変更が可能である。
【００５９】
例えば、本発明の第１の実施形態において、垂直画素混合を実施するモードを、動画駆動モードとして説明をしてきた。しかし、本発明はこれに限定されず、例えば動画モードの代わりに、撮像装置によって得られた画像信号を、表示装置にリアルタイムに表示するライブビュー駆動モードに置き換えても構わない。
【００６０】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６１】
１０１：光学系、１０２：メカシャッタ、１０３：撮像素子、１１６：撮影モード選択部、２００：単位画素、２０１：垂直シフトレジスタ、２０２：垂直出力線、２０３：列回路、２０４：水平シフトレジスタ、３０１：フォトダイオード 、３０２：転送スイッチ、３０３：フローティングディフュージョン部
【図１】
0006389693.tif 000002
【図２】
0006389693.tif 000003
【図３】
0006389693.tif 000004
【図４】
0006389693.tif 000005
【図５】
0006389693.tif 000006
【図６】
0006389693.tif 000007
【図７】
0006389693.tif 000008